(57)【要約】  識別情報を含むＥＳＧフラグメントを伝送し受信するための装置及び方法が提供される。１つの例では、識別は、移動体オペレータを識別する。例えば、識別情報は、モバイルネットワークコード（ＭＮＣ）、モバイルカントリーコード（ＭＣＣ）、又は移動体オペレータに対応する名前を含むことができる。別の例では、識別情報は、さらに、移動体オペレータに関連するウェブページに対応するウェブアドレスを含むことができる。例えば、ＥＳＧフラグメントにおいて受信された識別情報は、受信機において格納された識別情報と比較することができる。ＥＳＧフラグメントにおける識別情報及び格納された識別情報に基づいて、対応するウェブページを提供することができる。さらに、ＥＳＧフラグメントに対応するプログラム又はサービスは、ＥＳＧフラグメントにおける識別情報及び格納された識別情報に基づいてフィルタ処理することができる。
2009514299.tif 000002
【特許請求の範囲】
【請求項１】
通信システムにおける移動体オペレータを識別するための方法であって、
移動体オペレータの識別子情報を電子サービスガイド（ＥＳＧ）フラグメントに提供し、
前記ＥＳＧフラグメントを伝送する、
ステップを含むことを特徴とする方法。
【請求項２】
前記識別子情報は、前記移動体オペレータに対応するモバイルネットワークコード（ＭＮＣ）及びモバイルカントリーコード（ＭＣＣ）の１つを含むことを特徴とする請求項１に記載の方法。
【請求項３】
前記移動体オペレータに対応するウェブアドレスを前記ＥＳＧフラグメントに提供するステップをさらに含むことを特徴とする請求項１に記載の方法。
【請求項４】
前記ウェブアドレスは移動ＴＶウェブアドレスを含むことを特徴とする請求項３に記載の方法。
【請求項５】
前記ウェブアドレスを提供するステップは、前記ウェブアドレスを前記ＥＳＧフラグメントのメタデータにマップするステップを含むことを特徴とする請求項３に記載の方法。
【請求項６】
前記ウェブアドレスは前記移動体オペレータに対応するウェブページを指すことを特徴とする請求項３に記載の方法。
【請求項７】
前記ウェブアドレスを提供するステップは、メディアタイトルを含む購入チャネルを提供するステップを含み、前記メディアタイトルは前記移動体オペレータに対応するジップＨＴＭＬウェブページを含むことを特徴とする請求項３に記載の方法。
【請求項８】
前記識別子情報を提供するステップは前記識別子を前記ＥＳＧフラグメントのメタデータにマップするステップを含むことを特徴とする請求項１に記載の方法。
【請求項９】
前記識別子情報はフィルタ処理情報を含むことを特徴とする請求項１に記載の方法。
【請求項１０】
前記フィルタ処理情報は、親格付け情報、最も用いられるチャネル、贔屓、又は位置ベースの情報のうちの１つを含むことを特徴とする請求項９に記載の方法。
【請求項１１】
通信システムにおける移動体オペレータを受信機で識別するための方法であって、
移動体オペレータを識別する第１のパラメータを含む電子サービスガイド（ＥＳＧ）フラグメントを受信し、
前記受信機において前記第１のパラメータを少なくとも１つの第２のパラメータと比較し、
前記比較に基づいて前記移動体オペレータを識別する、
ステップを含むことを特徴とする方法。
【請求項１２】
前記ＥＳＧフラグメントは、前記移動体オペレータに対応するウェブアドレスをさらに含むことを特徴とする請求項１１に記載の方法。
【請求項１３】
前記移動体オペレータを識別するために、前記少なくとも１つの第２のパラメータ及び前記第１のパラメータに基づいて前記ウェブアドレスに対応するウェブページを要求するステップをさらに含むことを特徴とする請求項１２に記載の方法。
【請求項１４】
前記ウェブページを要求するステップは、前記少なくとも１つの第２のパラメータが前記第１のパラメータと適合する場合には、前記移動体オペレータの前記ウェブページを要求するステップをさらに含むことを特徴とする請求項１３に記載の方法。
【請求項１５】
前記要求するステップに応答してウェブページを受信するステップをさらに含み、前記ウェブページは前記ウェブアドレスにより指されることを特徴とする請求項１２に記載の方法。
【請求項１６】
前記ウェブページを表示するステップをさらに含むことを特徴とする請求項１５に記載の方法。
【請求項１７】
前記第１のパラメータはモバイルネットワークコード（ＭＮＣ）及びモバイルカントリーコード（ＭＣＣ）の１つを含むことを特徴とする請求項１１に記載の方法。
【請求項１８】
前記少なくとも１つの第２パラメータは、前記受信機におけるＳＩＭカード内に格納されることを特徴とする請求項１１に記載の方法。
【請求項１９】
前記移動体オペレータを識別するステップは、前記比較に基づいて、前記ＥＳＧに関連するプログラム又はサービスをフィルタ処理するステップをさらに含むことを特徴とする請求項１１に記載の方法。
【請求項２０】
前記フィルタ処理するステップは、前記ＥＳＧフラグメントにおける前記第１のパラメータが前記少なくとも１つの第２のパラメータと適合しない場合に、前記ＥＳＧフラグメントに関連するプログラム又はサービスの表示を防止するステップを含むことを特徴とする請求項１９に記載の方法。
【請求項２１】
前記フィルタ処理するステップは、前記ＥＳＧフラグメントにおいて受信された前記第１のパラメータが前記少なくとも１つの第２のパラメータと適合した場合においてのみ、前記ＥＳＧフラグメントに関連するプログラム又はサービスを表示するステップを含むことを特徴とする請求項１９に記載の方法。
【請求項２２】
前記第１のパラメータは、前記ＥＳＧフラグメントに関連するプログラム又はサービスに対応するフィルタ処理情報を含むことを特徴とする請求項１１に記載の方法。
【請求項２３】
前記フィルタ処理情報は、親格付け情報、最も用いられるチャネル、贔屓、又は位置ベースの情報のうちの１つを含むことを特徴とする請求項２２記載の方法。
【請求項２４】
前記比較に基づいて前記プログラム又はサービスを表示するステップをさらに含むことを特徴とする請求項２２記載の方法。
【請求項２５】
前記表示するステップは、適合が前記第１のパラメータと前記少なくとも１つの第２のパラメータとの間で検出された場合に、前記受信機において前記プログラム又はサービスを表示するステップをさらに含むことを特徴とする請求項２４記載の方法。
【請求項２６】
前記表示するステップは、適合が前記第１のパラメータと前記少なくとも１つの第２のパラメータとの間で検出されなかった場合に、前記受信機において前記プログラム又はサービスを表示するステップをさらに含むことを特徴とする請求項２４記載の方法。
【請求項２７】
移動体オペレータを識別するための識別子情報を受信する入力部と、
前記識別子情報を求めるためのオペレータ識別子モジュールと、
前記移動体オペレータを識別するための識別子情報を含むＥＳＧフラグメントを提供するアセンブラと、
を含むことを特徴とする送信機。
【請求項２８】
前記移動体オペレータに対応するウェブページのウェブアドレスを求めるウェブアドレス識別子モジュールをさらに含み、前記アセンブラは前記ウェブアドレスを含む前記ＥＳＧフラグメントをさらに提供することを特徴とする請求項２７に記載の送信機。
【請求項２９】
前記ウェブアドレスはメディアタイトルを含む購入チャネルにおいて提供され、前記メディアタイトルは前記移動体オペレータに対応するジップＨＴＭＬウェブページを含むことを特徴とする請求項２８に記載の送信機。
【請求項３０】
移動体オペレータを識別するための前記識別子情報は、モバイルネットワークコード（ＭＮＣ）、モバイルカントリーコード（ＭＣＣ）、及び前記移動体オペレータに対応する名前のうちの１つを含むことを特徴とする請求項２７に記載の送信機。
【請求項３１】
前記アセンブラは、さらに、前記識別子情報を前記ＥＳＧフラグメントのメタデータにマップすることを特徴とする請求項２７に記載の送信機。
【請求項３２】
前記識別子情報は、親格付け情報、最も用いられるチャネル、贔屓、又は位置ベースの情報のうちの１つを含むフィルタ処理情報を含むことを特徴とする請求項２７記載の方法。
【請求項３３】
移動体オペレータを識別するための第１の識別情報を含む電子サービスガイド（ＥＳＧ）フラグメントを受信する入力部と、
前記第１の識別情報を前記受信機における第２の識別情報の少なくとも１つと比較する比較器モジュールと、
前記ＥＳＧフラグメントに関連する出力を与える出力部と、
を含むことを特徴とする受信機。
【請求項３４】
前記ＥＳＧフラグメントにおける、前記移動体オペレータに関連するウェブページに対応するウェブアドレスを識別するウェブアドレス識別子と、
前記移動体オペレータに関連する前記ウェブページを要求する要求者と、
をさらに含むことを特徴とする請求項３３に記載の受信機。
【請求項３５】
前記ウェブページを受信するウェブページ入力部をさらに含み、前記ウェブページ入力部は、前記要求に応答して前記ウェブページを受信することを特徴とする請求項３４に記載の受信機。
【請求項３６】
前記出力部は前記ウェブページを表示することを特徴とする請求項３５に記載の受信機。
【請求項３７】
前記要求者は、前記第１の識別情報に基づいて、前記移動体オペレータに関連する前記ウェブページを要求することを特徴とする請求項３５に記載の受信機。
【請求項３８】
前記要求者は、前記ＥＳＧフラグメントにおける前記第１の識別情報が、前記受信機における前記第２の識別情報の少なくとも１つと適合する場合においてのみ、前記移動体オペレータに関連する前記ウェブページを要求することを特徴とする請求項３７に記載の受信機。
【請求項３９】
前記受信機における前記第２の識別情報の少なくとも１つを格納するためのメモリをさらに含むことを特徴とする請求項３３に記載の受信機。
【請求項４０】
前記メモリはＳＩＭカードを含むことを特徴とする請求項３９に記載の受信機。
【請求項４１】
前記識別情報は、前記移動体オペレータに対応するモバイルネットワークコード（ＭＮＣ）及びモバイルカントリーコード（ＭＣＣ）の１つを含むことを特徴とする請求項３３に記載の受信機。
【請求項４２】
前記出力部は、前記比較に基づいて、前記ＥＳＧフラグメントに対応するプログラム又はサービスを提供することを特徴とする請求項３３に記載の受信機。
【請求項４３】
前記出力部は、前記比較器が、前記第１の識別情報と前記受信機における前記第２の識別情報との間の適合を識別する場合においてのみプログラム又はサービスを提供することを特徴とする請求項４２に記載の受信機。
【請求項４４】
前記比較器が、前記第１の識別情報と前記受信機における前記第２の識別情報との間の適合を識別しなかった場合には、前記プログラム又はサービスはフィルタ処理されることを特徴とする請求項４２に記載の受信機。
【請求項４５】
前記出力部は、前記比較に基づいて前記ＥＳＧフラグメントに関連する出力を提供することを特徴とする請求項３３に記載の受信機。
【請求項４６】
前記出力部は、前記第１の識別情報が前記第２の識別情報の少なくとも１つと適合する場合に、前記ＥＳＧフラグメントに関連する出力を提供することを特徴とする請求項４５に記載の受信機。
【請求項４７】
前記出力部は、前記第１の識別情報が前記第２の識別情報の少なくとも１つと適合しない場合に、前記ＥＳＧフラグメントに関連する出力を提供することを特徴とする請求項４５に記載の受信機。
【請求項４８】
プログラム又はサービスを識別するための第１のパラメータを含む、前記プログラム又はサービスに対応する電子サービスガイド（ＥＳＧ）フラグメントを受信し、
前記第１のパラメータと前記受信機における第２のパラメータを比較し、
前記比較に基づいて、前記移動体オペレータを識別する
ステップを実行するためのコンピュータ実行可能命令を有するコンピュータ可読媒体。
【請求項４９】
前記比較に基づいて、前記プログラム又はサービスをフィルタ処理するためのコンピュータ実行可能命令をさらに含むことを特徴とする請求項４７に記載のコンピュータ可読媒体。
【請求項５０】
前記ＥＳＧフラグメントは、前記移動体オペレータに関連するウェブページに対応するウェブアドレスをさらに含み、前記コンピュータ可読媒体は、前記比較に基づいて前記ウェブページを要求するためのコンピュータ実行可能媒体をさらに含むことを特徴とする請求項４７に記載のコンピュータ可読媒体。
【発明の詳細な説明】
【技術分野】
【０００１】
本発明は一般に、通信ネットワークに関する。よりに具体的には、本発明は、通信ネットワークにおける対話型サービスに関する。
【０００２】
（関連出願の相互参照）
本出願は、２００５年１１月１日に出願された米国特許仮出願第６０／７３１，９３８号に基づく優先権を主張するものであり、その内容は引用により本明細書に組み入れられる。
【背景技術】
【０００３】
電子サービスガイド（ＥＳＧ）は、エンド・ユーザがどのサービスを使用可能か、及びサービスにどのようにアクセスできるかに関する情報を、端末が通信できるようにする。ＥＳＧフラグメントは、独立して存在するＥＳＧの部分である。従来、ＥＳＧフラグメントはＸＭＬドキュメントを含むが、最近では、例えば、ＳＤＰ（Ｓｅｓｓｉｏｎ  Ｄｅｓｃｒｉｐｔｉｏｎ  Ｐｒｏｔｏｃｏｌ）記述、テキスト・ファイル、又は画像といった膨大な項目を含んでいる。ＥＳＧフラグメントは、現在（又は将来）使用できるサービス又はブロードキャスト・プログラムの１つ又は幾つかの側面を記述する。このような側面は、例えば、自由なテキスト記述、スケジュール、地理的利用可能性、価格、購入方法、ジャンル、及びプレビュー画像又はクリップといった補足情報を含むことができる。オーディオ、ビデオ、及びＥＳＧフラグメントを含む他のタイプのデータは、多くの異なるプロトコルによる多様なタイプのネットワークを通して伝送されることができる。例えば、データは、インターネット・プロトコル（ＩＰ）及びユーザ・データグラム・プロトコル（ＵＤＰ）といった、インターネット・プロトコル・スートのプロトコルを用いた「インターネット」として通常称される、ネットワークの集合体を通して伝送することができる。ＥＳＧフラグメントは、さらに、Ａｓｙｎｃｈｒｏｎｏｕｓ  Ｌａｙｅｒｅｄ  Ｃｏｄｉｎｇ（ＡＬＣ）及びＦｉｌｅ  Ｄｅｌｉｖｅｒｙ  ｏｖｅｒ  Ｕｎｉｄｉｒｅｃｔｉｏｎａｌ  Ｔｒａｎｓｐｏｒｔプロトコルにより伝送することができる。データはしばしば、単一のユーザにアドレス指定されたインターネットを通して伝送される。しかしながら、一般的にマルチキャスティングとして知られる、ユーザのグループにアドレス指定することもできる。データが全ユーザにアドレス指定される場合には、ブロードキャストと呼ばれる。
【０００４】
さらに、テレビのコンテンツ及びプログラムは、対応する電子サービスガイド（ＥＳＧ）と共に加入者に送給することができる。移動ネットワークは、移動体オペレータから加入者端末又は受信機においてＴＶプログラムを受信する、又は、インターネットを閲覧するのに用いることができる。しかしながら、移動体オペレータがテレビ特有の情報をウェブページ上に提供するときには、ウェブページのアドレスもまた提供されなければならない。ウェブページへのアクセスを望むユーザ又は加入者は、ウェブページに対応するウェブアドレスを入れなければならない。
【０００５】
この場合、加入者は、ウェブアドレスのような入力を、非一様な方法により、システムに入れなければならない。ユーザが間違って誤ったデータを入力した場合には、誤ったデータが受信されて、望ましくない結果をもたらすことになる。例えば、加入者は、機能しないウェブアドレスを送ることがあり、望ましい結果はもたらさない。このことは、ウェブアドレスは長く、厄介で、覚えるのが困難であるため、ユーザにとって不便なものとなり得る。したがって、データ入力においては高いエラーのリスクがあり、こうしたシステムにサービスの失敗をもたらす。さらに、ウェブアドレス情報を指定するための標準化された方法はない。
【０００６】
さらに、ウェブページは、更新、移動、或いは別の方法により変更されることがあり、この場合、加入者は、ウェブアドレスが適当に入れられていても、望ましいウェブページにアクセスするのに失敗することがある。
【０００７】
さらに、多数の種類のテレビチャネルコンテンツ及び関連サービスがある。ユーザは、こうしたプログラム又はサービスを望んでいなくても、任意数のテレビプログラム又はサービスを受信することができる。対話型サービスを含む使用可能なプログラム及びサービスの数の爆発により、ユーザは、プログラム／サービスの無限に思われる種類により圧倒され、混乱することがある。幾つかの場合においては、特定の家族メンバーには適していないとみなされるプログラム又はサービスのような特定のプログラム又はサービスの使用可能性は望まれないことがある。
【０００８】
したがって、最新情報を移動体オペレータ又はサービス・プロバイダに提供し、対応するアドレス及びリンク情報を移動体オペレータ又はサービス・プロバイダに提供するための方法及びシステムに対する必要性がある。さらに、現在のまま残るダイナミックウェブリンクを提供するための方法及びシステムを提供する必要性がある。さらに、利便性のある方法により、識別情報を移動体オペレータ又はサービス・プロバイダに提供するための方法及びシステムに対する必要性がある。さらに、加入者端末又は受信機において、受信のためにテレビコンテンツをフィルタ処理するための方法及びシステムに対する必要性がある。
【発明の開示】
【０００９】
以下は、本発明の基本的な理解を提供するために単純化された要約を与える。この要約は本発明の排他的な概観ではない。これは、本発明のキーとなる又は重要な要素を識別すること、又は、本発明の範囲を正確に概説することを意図するものではない。以下の要約は、以下のより詳細な説明に対する前置きとして、単純化された形態で本発明の幾つかの概念を提示するに過ぎない。
【００１０】
１つの例では、通信ネットワークにおいて移動体オペレータを識別するための方法が提供される。例えば、移動体オペレータを識別するためのパラメータ、属性、又はエレメントはＥＳＧフラグメント内に含むことができる。識別情報は、モバイルカントリーコード（ＭＣＣ）及び／又はモバイルネットワークコード（ＭＮＣ）を含むことができる。
【００１１】
１つの例では、識別情報は、格納された識別情報と比較することができる。比較に基づいて、ＥＳＧフラグメントに関連するプログラム又はサービスは受信機又は加入者端末でフィルタ処理することができる。識別情報は、受信機又は端末におけるあらゆる位置に格納することができる。１つの例では、格納された識別情報は、受信機又は加入者端末におけるＳＩＭカード内に格納することができる。
【００１２】
別の例では、識別された移動体オペレータに関連するウェブページに対応するウェブアドレスがＥＳＧフラグメント内に含まれる。ウェブアドレスは、識別された移動体オペレータに対応することができ、識別された移動体オペレータはＥＳＧフラグメントにおいて識別される。移動体オペレータは、パラメータ、属性、又はエレメントにより、ＥＳＧフラグメントにおいて識別することができる。例えば、識別情報は、移動体オペレータに対応するＭＣＣ及び／又はＭＮＣコードを含むことができる。
【００１３】
別の例では、送信機は、ＥＳＧフラグメントを伝送するために与えられ、ＥＳＧフラグメントは移動体オペレータの識別情報を含んでいる。識別情報は、例えば、移動体オペレータに対応するＭＣＣ及び／又はＭＮＣコードを含むことができる。
【００１４】
別の例では、受信機は、移動体オペレータの識別子及び対応するウェブページアドレスを受信するために与えられる。受信機は、さらに、移動体オペレータの識別情報を格納するためのメモリを含むことができる。メモリは、受信機又は端末のどこにあってもよく、どのような形態であってもよい。例えば、識別情報は、ＳＩＭカード内に格納することができる。受信機は、さらに、メモリ内の識別情報及びＥＳＧフラグメントにおいて受信された識別情報に基づいて、識別された移動体オペレータに対応するウェブページを要求することができる。
【発明を実施するための最良の形態】
【００１５】
本発明の種々の実施形態及びその利点のより完全な理解は、同様の参照番号が同様の特徴を示す添付の図面を考慮して次の説明を参照することによって得ることができる。
【００１６】
本発明の種々の実施形態及びその利点のより完全な理解は、同様の参照番号が同様の特徴を示す添付の図面を考慮して次の説明を参照することによって得ることができる。
【００１７】
データをブロードキャストする１つの方法は、ＩＰデータ・キャスティング（ＩＰＤＣ）ネットワークを用いることである。ＩＰＤＣは、デジタル・ブロードキャストとインターネット・プロトコルの組み合わせである。そのようなＩＰベースのブロードキャスト・ネットワークを通じて、１つ又はそれ以上のサービス・プロバイダは、オンライン新聞、ラジオ、及びテレビを含む、異なるタイプのＩＰサービスを供給することができる。これらのＩＰサービスは、オーディオ、ビデオ、及び／又は他のタイプデータの形態で、１つ又はそれ以上のメディア・ストリームに系統化される。これらストリームがいつどこで発生するかを判断するために、ユーザは、電子サービス・ガイド（ＥＳＧ）を参照する。デジタル・ビデオ・ブロードキャスト（ＤＶＢ）ストリームに用いられる１つの例は、電子プログラム・ガイド（ＥＰＧ）である。ＤＶＢの１つのタイプは、携帯電話のような小型携帯機器で使用可能な能力及びサービスを増加させる、近年開発された技術であるＤｉｇｉｔａｌ  Ｖｉｄｅｏ  Ｂｒｏａｄｃａｓｔ−Ｈａｎｄｈｅｌｄ（ＤＶＢ−Ｈ）である。ＤＶＢ−Ｈは、１０Ｍｂｐｓのデータをバッテリ電源式端末装置へ送給するように指定される。ＤＶＢ−Ｈは、バッテリ動力装置の特性を考慮に入れて、データを無線端末装置に送給するように設計される。
【００１８】
ＤＶＢトランスポート・ストリームは、第３者の送給ネットワークを経由して、圧縮されたオーディオ及びビデオ及びデータをユーザに送給する。Ｍｏｖｉｎｇ  Ｐｉｃｔｕｒｅ  Ｅｘｐｅｒｔ  Ｇｒｏｕｐ（ＭＰＥＧ）は、単一プログラム内のエンコードされたビデオ、オーディオ、及びデータが、他のプログラムと多重化されてトランスポート・ストリーム（ＴＳ）になる技術である。ＴＳは、ヘッダを含む、固定された長さのパケットをもつ、パケット化されたデータ・ストリームである。プログラム、オーディオ、及びビデオの個別要素はそれぞれ、固有のパケット識別（ＰＩＤ）を有するパケット内で運ばれる。受信機装置が、特定のプログラムの異なる要素をＴＳ内に配置できるようにするために、ＴＳに組み込まれるＰｒｏｇｒａｍ  Ｓｐｅｃｉｆｉｃ  Ｉｎｆｏｒｍａｔｉｏｎ（ＰＳＩ）が供給される。加えて、ＭＰＥＧのプライベート区分のシンタックスに準拠する一組の表をＴＳに組み込むことができる。このことは、受信機装置が、ＴＳ内に含まれるデータを正確に処理できるようにする。
【００１９】
しかしながら、本発明の態様は、さらに、例えば、Ｔ−ＤＡＢ、Ｔ／Ｓ−ＤＭＢ、ＩＳＤＢ−Ｔ、及びＡＴＳＣのような他のマルチキャリアデジタルブロードキャストシステム、及び、Ｑｕａｌｃｏｍｍ  ＭｅｄｉａＦＬＯ／ＦＬＯのような固有システム、及び３ＧＰＰ  ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅｓ）及び３ＧＰＰ２  ＢＣＭＣＳ（Ｂｒｏａｄｃａｓｔ／Ｍｕｌｔｉｃａｓｔ  Ｓｅｒｖｉｃｅ）のような従来のものではないシステムにも適用することができる。
【００２０】
ＥＳＧフラグメントは、コンテナの形成により受信機に効率的にトランスポートされる。この意味においては、コンテナは、少なくとも１つのＥＳＧフラグメントを含むが、複数のフラグメントを含んでもよい。或いは、フラグメントは、１つより多いコンテナで送られてもよい。コンテナは、例えば、Ａｓｙｃｈｒｏｎｏｕｓ  Ｌａｙｅｒ  Ｃｏｄｉｎｇ（ＡＬＣ）／Ｌａｙｅｒｅｄ  Ｃｏｄｉｎｇ  Ｔｒａｎｓｐｏｒｔ（ＬＣＴ）により受信機にトランスポートされて、単一のＡＬＣ／ＬＣＴトランスポート・オブジェクトが単一のコンテナに対応するようになっている。フラグメントは、コンテナ全体の受け取りによって、受信機により用いることができる。本発明の態様は、個々のフラグメントのタイプ及びフォーマットとは独立した、フラグメントとは別の単純で拡張可能型ヘッダ構造を用いる。さらに別の実施形態においては、フラグメント及びあらゆるヘッダを含むコンテナ全体に圧縮が提供される。さらに別の実施形態においては、例えば、バージョン、有効時間、及び識別のようなパラメータを不要に繰り返すことなく、例えば、３ＧＰＰメタデータ・エンベロープのような他のエンベロープをコンテナ内で送ることができる。
【００２１】
３ＧＰＰ（３ｒｄ  Ｇｅｎｅｒａｔｉｏｎ  Ｐａｒｔｎｅｒｓｈｉｐ  Ｐｒｏｊｅｃｔ）エンベロープ又はいずれか他の形態におけるメタデータは、特定のチャネル、特定のプログラム、及び／又は特定のチャネル束を含むことができる。メタデータの他のタイプは、パッケージデータ、オペレータ識別データのような購入データ、及び、例えば、アドレス、プロトコルのようなトランザクションを実行するためのテキニカルデータ、パッケージ／日付、チャネル／分、プログラム／分に基づくとすることができる価格データ、ユーザ、コンテンツプロバイダのブランド化情報／ロゴについてのテキスト記述のようなチャネルデータ、ジャンル及び親格付けのような分類及び格付けデータ、例えば、オーディオ及びビデオフォーマット及びビットレート情報、開始終了時間、アドレス、同期補助データ供給のアドレス、固有拡張のような、サービスを用いるのに必要な能力の記述といったチャネルＳＤＰデータ、及びユーザ、開始及び終了時間、プログラムに関する対話型サービスに対する参照のようなプログラムデータを含むことができる。このメタデータは、オペレータによりロードされてもよいし、又は、自動的に実行されてもよい。
【００２２】
本発明の態様は、さらに、広範囲なネットワーク及び通信プロトコルにわたり適用可能であり、用いることができる。図１は、本発明のシステム及び方法を用いることができる無線通信システム１１０の例を示す。携帯情報端末（ＰＤＡ）、携帯電話、移動体端末、パーソナル・ビデオ・レコーダ、携帯用テレビ、パーソナル・コンピュータ、デジタルカメラ、デジタルカムコーダ、携帯用オーディオ装置、携帯用ラジオ、又はこれらの組み合わせといった１つ又はそれ以上のネットワーク対応の移動体装置１１２が、ブロードキャスト・ネットワーク１１４及び／又はセルラー・ネットワーク１１６を通して、サービス・ソース１２２と通信状態にある。移動体装置が説明されるが、本発明はそのように限定されるものではない。例えば、本発明の態様は、固定装置に提供されてもよい。固定装置の例としては、エンティティを提供するサービスに接触するバックチャネルをさらに提供することができる。移動体端末／装置１１２は、デジタル・ブロードバンド・ブロードキャスト受信機装置を含むことができる。サービス・ソース１２２は、実際のプログラム・コンテンツ又は情報、或いはそれらのサービス及びプログラムの記述を、サービス・ソースに提供することができる幾つかのサービス提供者に接続することができ、それぞれのサービス提供者は、さらに、コンテンツ又は情報を移動体装置１１２に提供する。幾つかのサービス・プロバイダは、これらに限られるものではないが、１つ又はそれ以上のテレビ及び／又はデジタルテレビ・サービス提供者、ＡＭ／ＦＭラジオ・サービス提供者、ＳＭＳ／ＭＭＳプッシュサービス提供者、インターネット・コンテンツ又はアクセス提供者を含むことができる。
【００２３】
ブロードキャスト・ネットワーク１１４は、ＤＶＢ−ＨによるＩＰデータ放送の無線伝送を含むことができる。ブロードキャスト・ネットワーク１１４は、送信機１１８を介して、デジタル又はアナログ・テレビ信号のようなサービス、及びサービスに関連した補足的コンテンツをブロードキャストすることができる。ブロードキャスト・ネットワークはまた、ラジオ、テレビ、又はＩＰデータ放送ブロードキャスト・ネットワークを含むこともできる。ブロードキャスト・ネットワーク１１４はまた、テレビ信号、音声及び／又はビデオ・ストリーム、データ・ストリーム、ビデオ・ファイル、音声ファイル、ソフトウェア・ファイル、及び／又はビデオゲームを含むことができる補足的コンテンツを伝送することもできる。ＩＰデータ放送サービスを伝送する場合、サービス・ソース１２２は、ブロードキャスト・ネットワーク１１４を通して実際のプログラム・コンテンツをユーザ装置１１２に伝えることができ、セルラー・ネットワーク１１６を通して実際のプログラム・コンテンツについての、ユーザの権利及びアクセス情報などの付加的な情報を伝えることができる。
【００２４】
移動体装置１１２はまた、セルラー・ネットワーク１１６を通してサービス・ソース１２２と連絡を取ることができる。セルラー・ネットワーク１１６は、無線ネットワークと、基地局送信機１２０とを含むことができる。セルラー・ネットワークは、第２／第３世代（２Ｇ／３Ｇ）のセルラー方式データ通信ネットワーク、Ｇｌｏｂａｌ  Ｓｙｓｔｅｍ  ｆｏｒ  Ｍｏｂｉｌｅ  ｃｏｍｍｕｎｉｃａｔｉｏｎｓ  ｎｅｔｗｏｒｋ（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、又はＷＬＡＮネットワークのような他の無線通信ネットワークを含むことができる。
【００２５】
本発明の１つの態様において、移動体装置１１２は、セルラー・ネットワーク１１６内でデジタル無線通信を送信及び／又は受信するように構成された無線インタフェースを含むことができる。セルラー・ネットワーク１１６又はブロードキャスト・ネットワーク１１４を通して移動体装置１１２が受信した情報は、ユーザ選択、アプリケーション、サービス、電子画像、音声クリップ、ビデオクリップ、及び／又はＷＴＡＩ（Ｗｉｒｅｌｅｓｓ  Ｔｅｌｅｐｈｏｎｙ  Ａｐｐｌｉｃａｔｉｏｎ  Ｉｎｔｅｒｆａｃｅ）メッセージを含むことができる。セルラー・ネットワーク１１６の一部として、受信機装置がセルラー・ネットワーク１１６の管理ドメイン内に位置する間、１つ又はそれ以上の基地局（図示せず）が受信機装置１１２とのデジタル通信をサポートすることができる。
【００２６】
図２に示されるように、移動体装置１１２は、ユーザ・インタフェース１３０、メモリ１３４及び／又は他の記憶装置に接続されたプロセッサ１２８、及びディスプレイ１３６を含むことができる。移動体装置１１２はまた、バッテリ１５０、スピーカ１５２、及びアンテナ１５４を含むこともできる。ユーザ・インタフェース１３０は、キーパッド、タッチ・スクリーン、音声インタフェース、４つの矢印キー、ジョイスティック、データグローブ、マウス、ローラーボール等をさらに含むことができる。さらに、移動体装置１１２は、サービスガイドにおいて情報（すなわち、ＥＳＧフラグメント）を受信し、サービス／対話オファリング及びメッセージテンプレートをコンパイルするように、この情報を解析してエレメント、サブエレメント、及び属性を求めるための解析モジュール１８０を含むことができる。さらに、移動体装置１１２は、ＥＳＧフラグメントにおける属性又はサブエレメントに基づいて、メッセージテンプレートをコンパイルするためのテンプレートコンパイラ１９０を含むことができる。
【００２７】
プロセッサ１２８が用いるコンピュータ実行可能命令及びデータ、並びに移動体装置１１２内の他のコンポーネントは、コンピュータ可読メモリ１３４内に格納することができる。メモリは、随意的に揮発性メモリ及び不揮発性メモリの両方を含む、読み出し専用メモリ・モジュール又はランダム・アクセス・メモリ・モジュールの任意の組み合わせにより実装することができ、メモリ・モジュールの幾つかは取り外し可能とすることができる。移動体装置１２２が種々の機能を実行することを可能にするために、ソフトウェア１４０をメモリ１３４及び／又は記憶装置内に格納して、プロセッサ１２８に命令を与えることができる。代替的に、移動体装置１１２のコンピュータ実行可能命令の一部又は全てを、ハードウェア又はファームウェア（図示せず）内に組み入れることもできる。
【００２８】
特定のＤＶＢ受信機１４１を通して、例えば、ＤＶＢ−Ｈ又はＤＶＢ−ＭＨＰのようなＤｉｇｉｔａｌ  Ｖｉｄｅｏ  Ｂｒｏａｄｃａｓｔ（ＤＶＢ）規格に基づいた伝送を受信し、デコードし、処理するように、移動体装置１１２を構成することができる。さらに、ＦＭ／ＡＭラジオ受信機１４２、ＷＬＡＮ送信機１４３、及び遠隔通信送信機１４４を通して、伝送を受信し、デコードし、処理するように、受信機装置１１２を構成することもできる。さらに、移動体装置は、Ｄｉｇｉｔａｌ  Ａｕｄｉｏ  Ｂｒｏａｄｃａｓｔｉｎｇ（ＤＡＢ）標準に基づいた伝送を受信するように構成することができる（図示せず）。本発明の１つの態様において、移動体装置１１２は、無線データ・ストリーム（ＲＤＳ）メッセージを受信することができる。
【００２９】
ＤＶＢ規格の一例においては、１つのＤＶＢ１０Ｍｂｉｔ／ｓ伝送は、２００，５０ｋｂｉｔ／ｓの音声プログラム・チャネル、又は５０，２００ｋｂｉｔ／ｓのビデオ（ＴＶ）プログラム・チャネルを有することができる。Ｄｉｇｉｔａｌ  Ｖｉｄｅｏ  Ｂｒｏａｄｃａｓｔ−Ｈａｎｄｈｅｌｄ（ＤＶＢ−Ｈ）規格、或いはＤＶＢ−ＭＨＰ、ＤＶＢ−Ｓａｔｅｌｌｉｔｅ（ＤＶＢ−Ｓ）、ＤＶＢ−Ｔｅｒｒｅｓｔｒｉａｌ（ＤＶＢ−Ｔ）、又はＤＶＢ−Ｃａｂｌｅ（ＤＶＢ‐Ｃ）のような他のＤＶＢ規格に基づいて、伝送を受信し、デコードし、処理するように、移動体装置１１２を構成することができる。同様に、代替的に他のデジタル伝送形式を用いて、ＡＴＳＣ（Ａｄｖａｎｃｅｄ  Ｔｅｌｅｖｉｓｉｏｎ  Ｓｙｓｔｅｍｓ  Ｃｏｍｍｉｔｅｅ）、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＩＳＤＢ−Ｔ）（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＡＢ（Ｄｉｇｉｔａｌ  Ａｕｄｉｏ  Ｂｒｏａｄｃａｓｔｉｎｇ）、ＤＭＢ（Ｄｉｇｉｔａｌ  Ｍｕｌｔｉｍｅｄｉａ  Ｂｒｏａｄｃａｓｔｉｎｇ）、ＦＬＯ（Ｆｏｒｗａｒｄ  Ｌｉｎｋ  Ｏｎｌｙ）、又はＤＩＲＥＣＴＶのような、補足的サービスのコンテンツ及び可用性情報を送信することができる。さらに、デジタル伝送は、ＤＶＢ−Ｈ技術におけるように、タイム・スライス型のものにすることができる。タイム・スライシングは、移動体端末の平均電力消費を低減することができ、滑らかでシームレスなハンドオーバを可能にする。タイム・スライシングは、従来のストリーミング機構を用いてデータが伝送された場合に必要とされるビットレートと比べると、より大きい瞬時ビットレートを用いて一気にデータを送ることからなる。この場合、移動体装置１１２は、提示前にデコードされたタイム・スライス型伝送を格納するための、１つ又はそれ以上のバッファ・メモリを有することができる。
【００３０】
図３は、本発明の少なくとも１つの態様による例示的なトランスポート・オブジェクトの概略図である。一般に、単一のトランスポート・オブジェクト３００は、コンテナ・ヘッダ３１０及びコンテナ・ペイロード３２０を含む。ヘッダ３１０及びペイロード３２０を単一のトランスポート・オブジェクトに組み込むことにより、各々のコンテナが異なるトランスポート・オブジェクト内のどこに配置されているかに関する情報と各々のヘッダを再び結びつける必要がなくなる。さらに、以前のシステムに提示されていたように、どれを最初に伝送するかは問題ではなくなる。コンテナ・ヘッダ３１０は、ヘッダ及び／又はコンテナ・ペイロード３２０に関する構成情報を含むことができる。１つの実施形態においては、ヘッダ３１０は、受信機に、ヘッダのエントリ長を通知するようにコード化される。
【００３１】
例示的な実施形態においては、ヘッダ３１０は、コンテナ・ペイロード３２０におけるＥＳＧフラグメント３４０を識別する複数のＥＳＧフラグメント記述子エントリ３３０を有することができ、受信機は各々の含まれるＥＳＧフラグメント３４０の正確な位置及び／又は長さを判断することができる。例えば、一実施形態においては、フィールドは、例えば、オフセット値、開始及び終了点などを提供することにより、特定のＥＳＧがコンテナ・ペイロード３２０内のどこで始まるかを指定する。他の実施形態においては、メタデータ３５０は、ヘッダ３１０、記述子エントリ３３０、ＥＳＧフラグメント３４０又はこれらの混合物内又はこれらの近傍に配置される個々のＥＳＧフラグメントと関連するとすることができる。１つの例示的な実施形態においては、３ＧＰＰメタデータ・エンベロープとＥＳＧフラグメントとの関連は、付加的なメタデータをその特定のＥＳＧフラグメントに関連してヘッダ３１０に配置する代わりになる又はその必要性をなくすことができる。
【００３２】
本発明の一例においては、ＥＳＧフラグメントは、移動体オペレータに対応する識別情報を含むことができる。例えば、移動体オペレータは、移動テレビのサービス・プロバイダとすることができる。識別情報は、加入者又は端末のユーザに提供され、検出／表示されることができる。この情報は、ＥＳＧフラグメントに関連するメタデータを通して提供されることができる。例えば、移動体オペレータを識別する情報は、所定のエレメントとして、ＥＳＧフラグメントのメタデータにマップすることができる。加入者端末は、この情報を解析して、移動体オペレータの識別子を求めることができる。
【００３３】
したがって、本発明の例示的な実施形態によれば、移動体オペレータの識別情報又は他の形態の予め構成されたメッセージは、サービスガイドのＥＳＧフラグメントにおいて送給することができる。こうしたメッセージングは、以下に限定されるものではないが、２、３の例を挙げると、Ｓｈｏｒｔ  Ｍｅｓｓａｇｅ  Ｓｅｒｖｉｃｅ（ＳＭＳ）、Ｍｕｌｔｉｍｅｄｉａ  Ｍｅｓｓａｇｅ  Ｓｅｒｖｉｃｅ（ＭＭＳ）又は電子メールのような種々の方法により伝送することができる。
【００３４】
移動体オペレータを識別するデータを含むＥＳＧフラグメントは、対応する移動体オペレータの識別情報を含むことができ、移動体オペレータに対応するウェブアドレスもまた識別することができる。この例においては、加入者端末又は受信機において送給されたＥＳＧデータは、移動体オペレータ特有識別情報及び／又は対応するウェブページアドレス情報を含むことができる。情報は、あらゆる所望の位置に格納することができる。例えば、情報は、受信機又は加入者端末内のメモリに格納することができる。１つの例では、加入者端末又は受信機は、移動体オペレータの識別情報を格納することができるＳｕｂｓｃｒｉｂｅｒ  Ｉｄｅｎｔｉｆｉｃａｔｉｏｎ  ｍｏｄｕｌｅ（ＳＩＭ）カードを含むことができる。１つの例では、移動体オペレータの識別情報及び対応するウェブアドレス情報を含むＥＳＧフラグメントは、加入者端末又は受信機において受信することができる。加入者端末又は受信機は、受信機又は加入者端末において格納される対応する識別情報に基づいて、移動体オペレータを識別することができる（例えば、情報は、ＳＩＭカード内に格納することができる）。識別された移動体オペレータに基づいて、対応するウェブページアドレスをＥＳＧフラグメントから取得することができる。移動体オペレータの識別コードに対する更新は、例えば、新しいＳＩＭカードにおいて実行することができる。
【００３５】
移動体オペレータの識別情報は、多数の形態を取ることができる。例えば、移動体オペレータは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に提供されるデータにより識別することができる。この情報は、これに限られるものではないが、上述のＳＩＭカードのメモリ内にマーク又は格納することができる。情報は、さらに、ＥＳＧフラグメントに提供されて、加入者端末又は受信機でＥＳＧフラグメントにおいて受信された識別情報を、メモリ内の対応する情報と比較できるようになる。ＩＭＳＩは、例えば、モバイルカントリーコード（ＭＣＣ）及び／又はモバイルネットワークコード（ＭＮＣ）のような多数のコンポーネントを含むことができる。したがって、移動体オペレータは、ＩＭＳＩのいずれかのコンポーネントの特定の値により識別することができる。１つの例では、ＩＭＳＩのＭＣＣコンポーネントは、３桁コードとすることができる。さらに、ＩＭＳＩのＭＮＣコンポーネントは、例えば、３桁コード、２桁コード、又は１桁コートとすることができる。
【００３６】
さらに、移動体オペレータは、独特な名前により識別することができる。名前は、移動体オペレータにより選択され、ＥＳＧデータに与えられることになる。この例では、移動体オペレータの識別子は、移動体オペレータに対応する名前、ＭＣＣ及び／又はＭＮＣに基づいて求められる。データは、加入者端末又は受信機に送給されるＥＳＧフラグメントに含まれることができる。
【００３７】
さらに、ＥＳＧは、識別された移動体オペレータに対応するウェブアドレスに関する情報を含むことができる。例えば、移動体オペレータは、対応するウェブアドレスをもつ移動テレビプロバイダとすることができる。ユーザ又は加入者は、識別された移動テレビプロバイダに対応するウェブアドレスのウェブページにアクセスすることを望むことができる。この例では、識別された移動テレビプロバイダに対応するウェブアドレスには、移動体オペレータの名前、ＭＣＣ及び／又はＭＮＣのような対応する識別情報が提供される。
【００３８】
ウェブアドレスは、種々の方法によりＥＳＧフラグメントの送給に含まれることができる。例えば、購入チャネルは、「メディアタイトル」がオフラインの閲覧のためにＨＴＭＬウェブページを含むことができるように用いることができる。例えば、メディアタイトルは、オフライン閲覧のために、ジップＨＴＭＬウェブページを含むことができる。この例では、ジップＨＴＭＬウェブページは、ローカル閲覧を可能にすることができる。或いは、携帯電話オペレータのウェブページを指すことができる拡張ＵＲＬを用いることができる。したがって、正しいメディアタイトル又は拡張ＵＲＬは、メモリ（例えば、ＳＩＭカード）内の移動体オペレータの識別に基づいて、複数のメディアタイトル又は拡張ＵＲＬのそれぞれから選択することができる。
【００３９】
図４は、加入者端末における移動体オペレータを識別する例を示す。この例では、第１のネットワークＡ４０１におけるサービス・プロバイダ又は移動体オペレータは、ＥＳＧデータを加入者端末４０４に与えることができる。ネットワークＡは、データ通信のためのどのようなタイプのネットワークであってもよい。１つの例では、ネットワークＡ４０１は、ＤＶＢ−Ｈネットワークである。図４に示すように、ＥＳＧデータは、端末４０４に与えることができる（経路４０５）。ＥＳＧデータは、例えば、移動体オペレータを識別する情報を含むことができる。１つの例では、ＥＳＧデータは、移動体オペレータを識別するＭＢＣ及びＭＣＣを含む。さらにＥＳＧデータは、さらに、移動体オペレータの独特な名前を含むことができる。さらに、ＥＳＧデータはまた、移動体オペレータに対応するウェブページアドレスを含むことができる。
【００４０】
加入者端末４０４は、移動体オペレータの識別情報を含むことができる。例えば、加入者端末４０４は、対応する移動体オペレータのＭＮＣ及び／又はＭＣＣのような識別情報を含むことができるＳＩＭカード４１０を含むことができる。ＥＳＧデータ又はフラグメントは、経路４０５により加入者端末４０４において受信することができ、加入者端末４０４は、さらに、移動体オペレータを識別するように移動体オペレータ識別情報を受信することができる。さらに、ＥＳＧフラグメントは、移動体オペレータに対応するウェブページのウェブアドレスを含むことができる。したがって、加入者端末４０４は、さらに、識別された移動体オペレータと適合又は比較することができるＥＳＧデータ又はフラグメントにより、移動体オペレータに対するウェブページのウェブアドレスを受信することができる。
【００４１】
加入者端末４０４は、要求４０６をネットワーク（例えば、ネットワークＢ４０２）により送信することによって、ウェブページをウェブサーバ４０３から要求することができる。加入者端末４０４は、したがって、移動体オペレータからのＥＳＧフラグメントにおいて受信されたウェブページアドレスに基づいて、ウェブページを要求する。ウェブページに対する要求は、ネットワークＢ４０２により、加入者端末４０４からウェブサーバ４０３に伝送することができる。ネットワークＢは、どのようなタイプの通信ネットワークであってもよい。１つの例では、ネットワークＢ４０２は、ＧＳＭネットワークである。
【００４２】
ウェブサーバ４０３は、ウェブページ４０７に対する要求を受信し、要求４０８の受け取りに応答して、ウェブページを伝送する。要求されたウェブページは、ネットワークＢ４０２又はデータを伝送することができる他のネットワークにより、ウェブサーバ４０３から加入者端末４０４に送られることになる。したがって、要求されたウェブページは、ウェブサーバ４０３から加入者端末４０４に送給されることになる（例えば、経路４０９上で）。
【００４３】
本発明の別の例においては、加入者端末又は受信機は、対応するＥＳＧにおいて受信された情報に基づいて、プログラム又はサービスをフィルタ処理することができる。この例では、ＥＳＧは、移動体オペレータに対応する識別情報を含むことができる。識別情報は、同様に、加入者端末又は受信機におけるメモリ内に含むことができる。１つの例では、識別情報は、加入者端末又は受信機におけるＳＩＭカード内に格納される。別の例では、加入者端末又は受信機は、フィルタ処理なしでＥＳＧにおいて情報を受信して、オペレータ特有コンテンツは全体のＥＳＧからフィルタ処理されることになる。この例では、加入者端末又は受信機は、フィルタ処理なしで全体のＥＳＧを受信し、ＥＳＧはオペレータ識別情報を含むことができる。例えば、オペレータ受信情報は、メタデータ情報としてＥＳＧに含まれてよい。
【００４４】
ＥＳＧにおいて受信された識別情報及びメモリ（例えば、ＳＩＭカード）内に格納された対応する識別情報に基づいて、対応するＴＣチャネルコンテンツ、プログラム又はサービスを加入者端末又は受信機において受信することができ、又は受信されないこともある。この例では、所望の場合には、プログラム又はサービスをフィルタ処理して、プログラム又はサービスが加入者端末又は受信機において提示されないようにすることができる。この方法により、プログラム又はサービスは、選択された加入者端末又は受信機に送給され、プログラム又はサービスを受信しない加入者端末又は受信機には送給されないことになる。
【００４５】
図５は、加入者端末又は受信機におけるプログラム又はサービスのフィルタ処理例を示す図である。この例では、プログラム又はサービスコンテンツは、種々のチャネル上で伝送される。図５に示すように、Ｎ個のチャネル（Ｃｈ１、Ｃｈ２．．．ＣｈＮ）が与えられる。移動体オペレータ又はプログラム又はサービスコンテンツに関する識別情報を含む対応するＥＳＧフラグメントが伝送される。１つの例では、加入者端末又は受信機は、加入者端末又は受信機において受信することができる、移動体オペレータ、プログラム又はサービスコンテンツに対応する識別情報を含むことができる。加入者端末又は受信機におけるメモリ内の対応する識別情報の存在に基づいて、プログラム又はサービスを受信することができる。例えば、対応する識別情報が加入者端末又は受信機におけるメモリ内に格納される場合には、格納された識別情報とＥＳＧにおいて受信された識別との間に適合を検出することができる。１つの例では、識別情報は、受信機又は加入者端末におけるＳＩＭ内に格納することができる。したがって、プログラム又はサービスは、加入者端末又は受信機において受信され、提示され又は表示されることができるという適合に基づいてこれを求めることができる。
【００４６】
別の例では、オペレータ、プログラム又はサービスコンテンツを識別する識別情報を含むＥＳＧフラグメントは、受信機又は加入者端末に伝送することができる。この例では、受信機又は加入者端末は、確かに識別情報を格納する。その代わり、他の識別情報を受信機又は加入者端末で用いて、オペレータ又はプログラム又はサービスコンテンツを識別することができる。他の識別情報の限定されない例として、携帯電話ネットワーク識別情報を受信機又は加入者端末で用いることができる。この例では、受信機又は加入者端末は、ＳＩＭカードをもたないが、オペレータを識別するのにネットワーク識別を用いる。したがって、ＥＳＧフラグメントにおいて受信された識別情報及び携帯電話識別情報に基づいて、オペレータを受信機又は加入者端末において識別することができる。この例では、オペレータ又はプログラム又はサービスコンテンツは、加入者端末又は受信機のユーザが異なるエリアに移動したとしても、加入者端末又は受信機において識別することができる。この場合、ローミング（例えば、別の国又は地方に移動する）ユーザは、依然として、新しく選択された移動ネットワークによりプログラム又はサービスをフィルタ処理することができる。
【００４７】
代替的な例においては、識別情報は、加入者端末又は受信機において受信することができ、識別情報は、ＥＳＧフラグメントに含むことができる。ＥＳＧフラグメントにおいて受信された識別情報は、加入者端末又は受信機におけるメモリ（例えば、ＳＩＭカード）内に格納された情報と比較することができる。この代替的な例において適合が見出された場合には、対応するプログラム又はサービスがフィルタ処理され、加入者端末又は受信機において提示又は表示されない。対照的に、この例において、ＥＳＧフラグメントにおいて受信された識別情報と、加入者端末又は受信機におけるメモリ（例えば、ＳＩＭカード）内に格納されたどの識別情報との間にも適合が見出されない場合には、プログラム又はサービスが加入者端末又は受信機において提示又は表示されることになる。
【００４８】
図５に示す例においては、３つの受信機が示される（受信機１、受信機２、及び受信機３）。受信機の各々は、識別情報を格納するための対応するＳＩＭカードを有する。Ｎ個のチャネルは受信機の各々に伝送され、Ｎ個のチャネルの各々は、対応するプログラム又はサービスを伝送する。受信機１は、図５に示すすべてのＮ個のチャネルに関するプログラム又はサービスに対応する識別情報を格納するＳＩＭカードを有する。したがって、受信機１は、すべてのＮ個のチャネルですべてのプログラムを受信し、提示又は表示することができる。
【００４９】
さらに図５には、チャネル１及びチャネル３上のプログラム又はサービスに対応する識別情報を格納するＳＩＭカードを有する受信機２が示される。しかしながら、受信機２におけるＳＩＭカードは、他のチャネルのいずれかにおけるプログラム又はサービスに対応する識別情報を格納することはない。したがって、チャネル２、チャネル４、．．．チャネルＮ上で伝送されるプログラム又はサービスは、受信機２においてフィルタ処理され、受信機２において提示又は表示されることはない。
【００５０】
同様に、図５に示される受信機３は、チャネル２上で伝送されるプログラム又はサービスだけに対応する識別情報を格納するＳＩＭカードを有する。したがって、チャネル２上で伝送されるプログラム又はサービスだけが受信機３において受信され、提示又は表示されることになる。チャネル１、３、．．．Ｎ上で伝送されるプログラム又はサービスはフィルタ処理され、受信機３において提示又は表示されることはない。
【００５１】
図６Ａないし図６Ｄは、移動体オペレータからプログラム又はサービスを受信する受信機の例を示す。図６Ａに示す例においては、独占的なプログラムが受信機において表示され、受信機は、独占的なプログラミングを受信するように認可されている。独占的なプログラムは、プログラムを受信するように認可された受信機のグループに独占的に与えられる。例えば、オペレータは、認可された受信機のグループに対して、独占的に、対応するものを集約することができる。図６Ａにおいては、受信機は認可された（すなわち、プログラミングを受信することが認可されている）受信機である。したがって、図６Ａにおける受信機は、独占的なプログラムを受信し、図示のように、ディスプレイ上に表示する。
【００５２】
図６Ｂは、与えられる独占的なプログラム又はサービスを受信するように認可されていない受信機の例を示す。この例では、図６Ａに示された例において伝送されたプログラムのような独占的なプログラムが受信機に伝送される。対応するＥＳＧは、受信機に伝送されることになり、ＥＳＧは、移動体オペレータ又は与えられるプログラム又はサービスに対応する識別情報を含むようになる。図６Ｂに示す受信機は、ＥＳＧフラグメントにおいて受信された識別情報と、受信機におけるＳＩＭカード内に格納された識別情報を比較することができる。適合が見出された場合には、対応するプログラム又はサービスを表示することができ、或いは別の方法により受信機に与えられる。しかしながら、図６Ｂに示される例においては適合が検出されない（すなわち、ＥＳＧフラグメントにおいて受信された識別情報は、図６Ｂに示される受信機におけるＳＩＭカード内に格納されていない）。したがって、プログラム又はサービスは、図６Ｂに示される空のスクリーンにより示されるように、受信されない。或いは、スクリーンは空ではないが、どのような望ましい表示も含まないことがある。例えば、プログラム又はサービスは使用不可であることを示す表示又はアクセスは拒絶されたことを示す表示が与えられることがある。
【００５３】
さらに、サービスは、非独占的なチャネル上で与えられることができる。説明するための１つの例として、ＭＴＶは、Ｍｕｓｉｃ  Ｃｈａｎｎｅｌ  ＴＶ上のプログラムをブロードキャストすることができる。第１の移動体オペレータは、例えば、サービスの顧客のような特定の閲覧者に対して特別な投票サービスを与えることができる。第１の移動体オペレータは、したがって、例えば、顧客が提示されたアクティビティ（例えば、贔屓の歌手、贔屓のビデオ等）に投票することができる、与えられたプログラムに関連するサービスを与えることができる。しかしながら、サービスの顧客ではない個人は、投票することが許されていない。さらに、第１の移動体オペレータは、顧客ではない者が与えられる投票サービスを受信し表示することを望まないであろう。
【００５４】
同時に、この例では、第２の移動体オペレータは、顧客がプログラム中に商品を注文できる購入サービスを提供することができる。例えば、購入サービスの顧客は、第２の移動体オペレータから呼び出し音をダウンロードすることができ、又は、特定の画像をダウンロードすることができる。しかしながら、この例では、購入サービスに参加していない個人は、与えられるコンテンツをダウンロードしない。したがって、この例では、第２の移動体オペレータは、購入サービス又はオファーを受信することを認可されている個人又は加入者だけがサービスへのアクセスが与えられることを望む。第２の移動体オペレータにより提供される購入サービスに参加しない加入者においては、サービスはフィルタ処理されて、参加していない加入者にはサービスさ受信及び表示されないようになる。
【００５５】
図６Ｃは、受信機が、第１の移動体オペレータにより提供されるサービスを受信するように認可された加入者端末又は受信機を示す。この例では、第１の移動体オペレータは、上述の投票サービスを提供し、図６Ｃに示される受信機はユーザに対するサービスを受信し表示する。したがって、この例では、サービス又は第１の移動体オペレータに対応する識別情報は加入者端末又は受信機のＥＳＧフラグメントにおいて受信される。受信された識別情報は、加入者端末又は受信機におけるメモリ（例えば、ＳＩＭカード）内に格納された対応する識別情報と比較される。この例では適合が見出され、対応するサービス（この例では投票サービス）が受信機に与えられる。
【００５６】
しかしながら、第２移動体オペレータは、購入サービスを提供するが、図６Ｃに示される端末は購入サービスに参加するように認可されていない。したがって、購入サービスは、受信機に提供されない。例えば、ＥＳＧフラグメントは、第２の移動体オペレータ又は第２の移動体オペレータにより与えられるサービスに対応する識別情報を含むことができる。この例では、受信された識別情報は、第２の移動体オペレータにより提供される購入サービスに対応する。受信された識別情報は、例えば、受信機におけるＳＩＭカード内に格納された識別情報と比較される。この例では、適合する識別情報は受信機におけるＳＩＭカード内に格納されていない。したがって、購入サービスは、図６Ｃに示す例の受信機において受信及び提供されることはない。
【００５７】
図６Ｄは、購入サービスに参加するように認可された受信機の例を示す。この例では、ＥＳＧフラグメントは、受信機において受信され、ＥＳＧフラグメントは、第２の移動体オペレータ又は第２の移動体オペレータからの購入サービスに対応する識別情報を含む。受信機においてこのように受信された識別情報は、受信機におけるＳＩＭ内に格納された識別情報と比較される。この例では、適合が見出されて、購入サービスが端末で受信され表示又は提供されるようになる。図６Ｄは、認可された受信機において表示される購入サービスを示す。
【００５８】
図７は、本発明の１つの態様による送信機の例を示す部分ブロック図である。この例では、送信機５５０は、伝送のためにＥＳＧフラグメントに含まれるデータを受信するための入力部５５１を含む。このデータは、例えば、サービス・プロバイダ又はブロードキャスタのような種々のソースから受信することができる。送信機５５０は、さらに、プログラム又はサービスに対応するＥＳＧフラグメントをアセンブル又は処理するためのプロセッサ５５７を含むことができる。図７は、オペレータ識別子モジュール５５２、アセンブラ５５３、及びオペレータ・ウェブアドレス識別子モジュール５５６を含むものとしてプロセッサ５５７を示す。しかしながら、所望の場合には、これらのコンポーネントのいずれもプロセッサ５５７から分離することができる。さらに、図７に示すコンポーネントのいずれも再配置することができ、又はスキップすることもできる。
【００５９】
オペレータ識別子モジュール５５２は、移動体オペレータの識別子情報を求めることができる。例えば、オペレータ識別子モジュール５５２は、ＭＣＣ及びＭＮＣ又は特定の移動体オペレータに対応する他のオペレータ特有識別情報を求めることができる。移動体オペレータは、例えば、ブロードキャスト、プログラム又はサービス（例えば、Ｂａｓｉｃ  ＴＶ）を提供することができる。さらに、移動体オペレータに対応するウェブページのウェブアドレスもまた識別することができる。例えば、オペレータ・ウェブアドレス識別子モジュール５５６は、移動体オペレータに関連するウェブアドレスに対応するウェブアドレスを識別することができる。したがって、識別子情報は、送信機５５０に伝送されることになり、送信機５５０の入力部５５１において受信されることになる。識別子情報は、オペレータ識別子モジュール５５２内でさらに処理されて、移動体オペレータに体操する特定の識別子情報を識別することができ（例えば、ＭＣＣ及び／又はＭＮＣ）、又は、オペレータ・ウェブアドレス識別子モジュール５５６内で処理されて移動体オペレータに対応するウェブページアドレスを識別することができる。この情報のいずれか又はその一部はサービスガイド又はＥＳＧフラグメントに含むことができる。
【００６０】
１つの例では、送信機５５０は、移動体オペレータの識別を示すパラメータ、エレメント、又は属性を含むようにサービスガイドを処理する。この例では、アセンブラ５５３は、ネットワーク上で、伝送のためにサービスガイドを受信機又は受信機のグループに対してアセンブルする。この例では、パラメータ、エレメント、又は属性（例えば、ＭＭＣ及びＭＮＣ）を、対応する移動体オペレータの識別子を示すサービスガイド又はＥＳＧフラグメント内に含むことができる。アセンブラ５５３は、パラメータ、エレメント、又は属性を含むＥＳＧフラグメントを生成することができる。このＥＳＧフラグメントは、加入者端末又は受信機のような遠隔装置に伝送することができる。
【００６１】
別の例では、アセンブラは、さらに、ＥＳＧフラグメントにおける移動体オペレータに関連するウェブアドレス又はウェブページの識別子情報を含むことができる。したがって、ＥＳＧフラグメントは、さらに、ユーザが利便性をもってウェブサイトにアクセスできるように、移動体オペレータに対してウェブページを指すアドレスを含むことができる。
【００６２】
以下の表は、移動体オペレータの識別子情報及び移動体オペレータに関連するウェブアドレスの例を示す。
2009514299.tif 000003
【００６３】
したがって、この例では、オペレータ識別子モジュール５５２は、アセンブラ５３３によりＥＳＧフラグメント内にＭＣＣ及び／又はＭＮＣパラメータを含むことができる。さらに、オペレータ・ウェブアドレス識別子モジュール５５６は、アセンブラ５３３によりＥＳＧフラグメント内に移動ＴＶウェブアドレスを含むことができる。ＥＳＧフラグメントは、出力部５５５により、受信機又は受信機のグループに出力することができる。
【００６４】
別の例では、送信機５５０は、移動体オペレータに対応する識別情報を含むＥＳＧフラグメントを伝送して、対応するプログラム又はサービスを加入者端末又は受信機のような遠隔装置においてフィルタ処理するようにすることができる。この例では、移動体オペレータに対応する識別情報は、入力部５５１において受信することができ、プロセッサ５５７において処理することができる。例えば、識別情報は、オペレータ識別子モジュール５５２により識別することができ、アセンブラ５５３によりＥＳＧフラグメントにアセンブルすることができる。移動体オペレータに対応する識別情報を含むこのように生成されたＥＳＧフラグメントは、加入者端末又は受信機に伝送することができる。
【００６５】
この例では、対応するプログラム又はサービスに関連するどのような情報も送信機により伝送されるＥＳＧフラグメント内に含んで、他のフィルタ処理方法を加入者端末又は受信機において採用できるようにすることができる。例えば、送信機５５０のアセンブラ５５３は、ＥＳＧフラグメント内に情報を含んで、受信機又は加入者端末が、ＥＳＧフラグメント内に含まれる情報に基づいてＥＳＧ情報を処理できるようにすることができる。説明する例として、アセンブラ５５３は、出力部５５５による加入者端末又は受信機への伝送のために、ＥＳＧフラグメント内に親格付け情報を含むことができる。説明する別の例として、加入者端末又は受信機への伝送のために、位置ベースの情報（例えば、地理的情報又は局所的な街エリア情報）をアセンブラ５５３によりＥＳＧフラグメント内に含むことができる。
【００６６】
図８は、移動体オペレータ識別情報を含むＥＳＧデータ及び／又は移動体オペレータに対応するウェブページのデータを受信するための加入者端末の例を示す。この例では、ＥＳＧデータ又はＥＳＧフラグメントは加入者端末５００の入力部５０１において受信される。ＥＳＧデータ又はフラグメントは、例えば、ＭＣＣ及び／又はＭＮＣのような移動体オペレータに対応する移動体オペレータ識別情報を含むことができる。さらに、ＥＳＧデータ又はフラグメントは、移動体オペレータに対応するウェブアドレスを含むことができる。
【００６７】
ＥＳＧフラグメントは、移動体オペレータ識別子５０３で処理される。移動体オペレータ識別子５０３は、受信された移動体オペレータ識別情報を含む受信されたＥＳＧデータに基づいて移動体オペレータを識別する。例えば、ＥＳＧフラグメントにおいて受信され、移動体オペレータに対応するＭＣＣ及び／又はＭＮＣは、移動体オペレータ識別子５０３において受信され処理されることができる。移動体オペレータ識別子５０３は、さらに、加入者端末５００におけるＳＩＭ５０２にアクセスすることができる。ＳＩＭが図８に示されるが、どのような格納手段又はメモリも、受信機のあらゆる位置で受信機において採用することができる。この例では、ＳＩＭ５０２（又はいずれかの他のメモリ位置）は、移動体オペレータの識別情報（例えば、ＭＣＣ及びＭＮＣ）を含むことができる。移動体オペレータ識別子５０３は、ＥＳＧにおいて受信された識別情報をＳＩＭ５０２における識別情報と比較して、移動体オペレータを識別する。さらに、ウェブアドレス識別子５０４は、移動体オペレータの対応するウェブアドレスを受信することができる。ウェブアドレスは、さらに、受信されたＥＳＧデータ又はフラグメント内に含むことができる。
【００６８】
したがって、移動体オペレータは、ＥＳＧデータ又はフラグメント内に受信された識別情報に基づいて識別して、ＳＩＭ５０２における対応する識別情報と比較することができる。例えば、受信したプログラム又はサービスのフィルタ処理は、ＥＳＧデータ又はフラグメント内の受信された識別情報に基づいて加入者端末又は受信機において実行することができる。ＥＳＧフラグメントにおいて受信された識別情報は、ＳＩＭ５０２内に格納された識別情報と比較することができる。適合が検出された場合には、対応するプログラム又はサービスが受信機において提示又は表示されることになる。しかしながら、（ＥＳＧフラグメントにおいて）受信した識別情報といずれの格納された識別情報との間にも適合が検出されない場合には、対応するプログラム又はサービスはフィルタ処理されて、このプログラム又はサービスは受信機において提供されないようになる。
【００６９】
さらに、移動体オペレータに対応するウェブアドレスはＥＳＧフラグメントにおいて受信することができ、ウェブアドレス識別子５０４において識別することができる。識別された移動体オペレータ及び識別された移動体オペレータに対応する識別されたウェブアドレスに基づいて、要求者５０５はウェブアドレスを要求することができる。この例における要求者５０５は、識別されたウェブアドレスに対して、要求をウェブサーバ（図示せず）に送ることができる。要求されたウェブアドレスに対応するウェブページは、ウェブページ入力部５０６において戻されることになる。ウェブページは、ディスプレイ５０７上に表示されることができる。
【００７０】
別の例では、受信機又は加入者端末５００は、ＥＳＧフラグメントを入力部５０１においてネットワークから受信することができる。ＥＳＧフラグメントは、オペレータ識別情報のような情報を含むことができる。こうしたオペレータ情報は、例えば、対応するオペレータのＭＣＣ又はＭＮＣの値又は対応するオペレータの名前を含むことができる。加入者端末又は受信機５００は、ＥＳＧフラグメントにおいてオペレータ情報を受信することができ、例えば、ＥＳＧフラグメントにおいて受信した情報に基づいて対応するプログラム又はサービスをフィルタ処理することができる。１つの例では、受信機５００は、ＭＣＣ、ＭＮＣ又は名前の値を含むオペレータ識別情報を受信することができ、受信したオペレータ情報を加入者端末又は受信機５００において格納された情報と比較することができる。受信した情報を格納された情報と比較することに基づいて（例えば、適合が受信したオペレータ識別情報と対応するオペレータ識別情報との間に見出された場合のように）、加入者端末又は受信機５００は、対応するプログラム又はサービスをフィルタ処理して、プログラム又はサービスが受信機又は加入者端末５００における提示又は表示から排除されるようにすることができる。この例では、比較器モジュール５０８が、格納された情報（例えば、この例ではＳＩＭ５０２内に格納された情報）と受信されたオペレータ識別を比較する。受信されたオペレータ識別情報は、ＥＳＧフラグメントにおける入力部５０１により受信することができ、移動体オペレータ識別子５０３により識別することができる。比較器モジュール５０８における比較に基づいて、対応するプログラム又はサービスをフィルタ処理することができる。
【００７１】
対応するプログラム又はサービスは、あらゆる望ましいデータに基づいてフィルタ処理することができる。例えば、対応するプログラム又はサービスは、親格付け情報に基づいてフィルタ処理することができる。この例では、親格付け情報は、受信機又は加入者端末５００に伝送され、入力部５０１において受信されることができる。識別子５０３は、この例では、ＥＳＧフラグメントにおける親格付け情報を識別することができる。比較器モジュール５０８は、受信した親格付け情報を格納された情報と比較することができる。この例では、情報は、ＳＩＭ５０２内に格納されるが、加入者端末又は受信機５００のどこに格納されてもよい。（例えば適合が見出された場合には）比較に基づいて、対応するプログラム又はサービスをフィルタ処理して、プログラム又はサービスが加入者端末又は受信機において表示又は提示されないようにすることができる。
【００７２】
さらに、プログラム又はサービスは、任意数の基準に基づいてフィルタ処理されることができる。このことは、例えば、加入者端末又は受信機５００において、特定のチャネルに対応するプログラム又はサービスを提示又は表示することを含むことができる。一例として、最も見られているＴＶチャネルは、最も見られているＴＶチャネルが、上述のフィルタ処理に基づいて、出力部５０５により加入者端末又は受信機５００に提示されることになるように選択することができる。別の例では、プログラム又はサービスは、情報の位置に基づいてフィルタ処理されることができる。このことは、例えば、ユーザが、特定の領域又は地理的位置からだけ情報又はプログラムを望む場合に有益とすることができる。
【００７３】
図９は、移動体オペレータの識別情報を含むＥＳＧフラグメントを伝送する例を示すフローチャートである。ステップ７０１において、識別子情報が移動体オペレータに対して求められる。例えば、移動体オペレータに対応するＭＣＣ及び／又はＭＮＣ情報を求めることができる。ステップ７０２において、識別子情報は、識別された移動体オペレータに対応するウェブアドレスについて求めることができる。識別されたウェブアドレスは、移動体オペレータに対応するウェブページに対応するとすることができる。ステップ７０５において、他の情報が識別され含まれる。この情報は、例えば、対応するプログラム又はサービスのフィルタ処理のために受信機又は加入者端末において用いることができる。例えば、識別する又は求めることができる他の情報は、親格付け情報、最も頻繁に用いられるチャネル、贔屓のもの、又は位置ベースの情報を含む。ステップ７０３では、識別子情報又はあらゆる他の識別された又は求められた情報（例えば、親格付け、最も見られた、贔屓等）をＥＳＧフラグメント内に含むことができる。識別子情報は、（移動体オペレータを識別するための）ＭＣＣ、ＭＮＣを含むことができるパラメータ、エレメント、又は属性を含むことができる。一例では、識別子情報は、さらに、ウェブアドレス情報を含む。識別子情報は、ＥＳＧフラグメント内に含まれて、ウェブアドレス情報は移動体オペレータ識別子情報と対応するようになっており（例えば、ＭＣＣ及び／又はＭＮＣ又は名前）、移動体オペレータを識別することは、対応するウェブページアドレスに関する情報を与えることができることになる。さらに、識別情報又はあらゆる他の含まれる情報（例えば、親格付け等）は、加入者端末又は受信機において対応するプログラム又はサービスをフィルタ処理するように用いることができる。プログラム又はサービスをフィルタ処理するこの例においては、ウェブアドレス情報は必要でないことがある。識別情報又は（ウェブアドレス情報をもつ又はもたない）親格付け、贔屓等のようなあらゆる他の含まれる識別された又は求められた情報は、受信機又は受信機のグループに伝送されることができる（ステップ７０４）。
【００７４】
図１０は、移動体オペレータに対応するウェブページを識別する例を示すフローチャートである。この例では、ＥＳＧフラグメントは、送信機又はサービス・プロバイダのような遠隔ソースから受信することができる（ステップ８０１）。ＥＳＧは解析されて（ステップ８０２）、識別子情報がＥＳＧフラグメント内で識別できるようになる。例えば、識別子は、ＥＳＧフラグメントに関連する移動体オペレータを識別するＥＳＧフラグメント内で識別することができる。移動体オペレータを識別する識別子情報は、例えば、ＭＣＣ及び／又はＭＮＣ及び／又は移動体オペレータの名前を含むことができる。したがって、移動体オペレータを識別することができる（ステップ８０３）。１つの例では、識別子情報は、受信機又は端末のＳＩＭカード内に格納された識別子情報と比較することができる（ステップ８０４）。ＥＳＧフラグメントにおいて受信された識別子情報がどの格納された識別子情報とも適合しない場合には、対応するプログラム又はサービスを加入者端末又は受信機においてフィルタ処理することができる。この例では、プログラム又はサービスは加入者端末又は受信機において提供されない（ステップ８０８）（すなわち、プログラム又はサービスはフィルタ処理された）。
【００７５】
さらに、識別された移動体オペレータに関連するウェブページアドレスを識別することができる。この情報は加入者端末又は受信機において受信されたＥＳＧフラグメント内に含まれることができる。例えば、ＥＳＧフラグメントを受信することができ、移動体オペレータに対する識別子情報（例えば、ＭＮＣ及びＭＣＣコード）を求めることができる。識別子情報は、加入者端末又は受信機におけるＳＩＭカード内に格納された識別子情報と比較することができる（ステップ８０４）。したがって、移動体オペレータは、ＥＳＧフラグメントにおいて受信された識別子情報及び加入者端末又は受信機におけるＳＩＭカード内に格納された識別子情報に基づいて、加入者端末又は受信機において識別することができる。加入者端末又は受信機において受信されたＥＳＧフラグメントは、さらに、識別された移動体オペレータに関連する対応するウェブページのウェブアドレスをさらに含むことができる（ステップ８０５）。したがって、ウェブアドレスは、識別された移動体オペレータに基づいて、加入者端末又は受信機においてさらに識別することができる。
【００７６】
識別されたウェブアドレスに基づいて、加入者端末又は受信機は、ウェブページを要求することができる（ステップ８０６）。例えば、加入者端末又は受信機は、ネットワークにおけるウェブサーバからウェブページを要求することができる。対応するウェブページは、加入者端末又は受信機に戻されることができ、ウェブページを受信し（ステップ８０７）、ウェブページを表示することができる。
【００７７】
本明細書における実施形態は、ここに開示されるあらゆる特徴又は特徴の組み合わせを明確に又は何らかの一般化された状態で含む。本発明は、本発明を実行するのに現在好ましいモードを含む特定の例に関して説明されるが、当業者であれば、上述のシステム及び技術の幾多の変形態様及び置換があることを理解するであろう。
【図面の簡単な説明】
【００７８】
【図１】本発明の種々の態様が実施することができる無線通信システムのブロック図を示す。
【図２】本発明の態様による移動体端末のブロック図を示す。
【図３】本発明の態様による例示的なトランスポート・オブジェクトの概略図を示す。
【図４】本発明の態様による移動体オペレータ及び移動体オペレータに関連するウェブページに対応するウェブアドレスを識別する例を示す。
【図５】本発明の態様によるプログラム又はサービスのフィルタ処理の例を示す。
【図６Ａ】本発明の態様によるプログラム又はサービスを受信する受信機又は加入者端末の例を示す。
【図６Ｂ】本発明の態様によるプログラム又はサービスを受信する受信機又は加入者端末の例を示す。
【図６Ｃ】本発明の態様によるプログラム又はサービスを受信する受信機又は加入者端末の例を示す。
【図６Ｄ】本発明の態様によるプログラム又はサービスを受信する受信機又は加入者端末の例を示す。
【図７】本発明の態様による送信機の構造体の例のブロック図を示す。
【図８】本発明の態様による加入者端末又は受信機の例のブロック図を示す。
【図９】本発明の態様による、移動体オペレータの識別情報を提供し、ＥＳＧフラグメントに対応するプログラム又はサービスをフィルタ処理し、識別された移動体オペレータに関連するウェブページのウェブアドレスを識別する例のフローチャートを示す。
【図１０】本発明の態様による加入者端末においてＥＳＧ端末情報及びメタデータを受信する例のフローチャートを示す。
【図１】
2009514299.tif 000004
【図２】
2009514299.tif 000005
【図３】
2009514299.tif 000006
【図４】
2009514299.tif 000007
【図５】
2009514299.tif 000008
【図６Ａ】
2009514299.tif 000009
【図６Ｂ】
2009514299.tif 000010
【図６Ｃ】
2009514299.tif 000011
【図６Ｄ】
2009514299.tif 000012
【図７】
2009514299.tif 000013
【図８】
2009514299.tif 000014
【図９】
2009514299.tif 000015
【図１０】
2009514299.tif 000016
【国際調査報告】
2009514299.tif 000017
2009514299.tif 000018
2009514299.tif 000019
2009514299.tif 000020